(57)【要約】      （修正有）【課題】取付部における埋込高さが低くても取付可能であり、かつ、放熱性を確保できる照明器具を提供する。【解決手段】灯具取付部２３により取付孔に取り付けられた灯具２０では、収容しているＬＥＤユニットが発した熱は、灯具２０に一体的に設けられた放熱フィン２２により放熱される。このとき、放熱フィン２２の取付孔の径方向長さを、取付孔の径よりも長くしたので、放熱フィン２２の放熱面積を確保しながら、放熱フィン２２の高さを低くできる。これにより、取付孔における埋込高さが低くても取付可能であり、かつ、放熱性を確保できる。また、放熱フィン２２の取付孔の径方向長さＬが取付孔の径よりも長いので、放熱フィン２２を取付孔に引っ掛けることにより、仮止めできる。これにより、取付作業性が向上する。【選択図】図１
2013045708.tif 000002
【特許請求の範囲】
【請求項１】
光源であるＬＥＤユニットと、
前記ＬＥＤユニットを収容し取付孔に取り付けられる灯具と、
前記灯具に一体的に設けられ前記ＬＥＤユニットが発する熱を放熱する放熱部と、
前記灯具を前記取付孔に取り付ける灯具取付部と、を有し、
前記放熱部を前記取付孔の径方向に当該径よりも長く形成した照明器具。
【請求項２】
請求項１に記載の照明器具において、
前記灯具取付部は、天井に設けられた前記取付孔に前記灯具を取り付けるものであり、前記灯具を前記灯具取付部に連結する灯具連結部を有する照明器具。
【請求項３】
請求項１に記載の照明器具において、
前記灯具取付部は、天井から吊り下げられた吊下部材に設けられた前記取付孔に前記灯具を取り付けるものである照明器具。
【発明の詳細な説明】
【技術分野】
【０００１】
本発明は、光源を収容する灯具に、光源からの熱を放熱する放熱部を一体的に設けた照明器具に関するものである。
【背景技術】
【０００２】
従来より、光源を収容する灯具に、光源からの熱を放熱する放熱部を一体的に設けた照明器具が知られている（例えば、特許文献１参照）。
図９に示すように、特許文献１に記載の照明器具１００では、内部に光源１０１を収めた器状である灯具１０２を有する。灯具１０２の外底面には、光源１０１が発する熱を放熱するための複数の放熱フィン１０３が一体的に設けられている。また、放熱フィン１０３の外側には、放熱フィン１０４が、回動部１０５を介して、灯具１０２外周の外側領域に突出可能に設けられている。
【０００３】
これにより、施工時には放熱フィン１０４を灯具１０２の内側に起こして、天井取付孔に挿入させて設置することができるので、施工性が向上する。
また、設置後は、放熱フィン１０４を灯具１０２の外側に突出させて広げることができるので、放熱性が向上する。
【先行技術文献】
【特許文献】
【０００４】
【特許文献１】特開２００８−１３０３９７号公報（第１図）
【発明の概要】
【発明が解決しようとする課題】
【０００５】
しかしながら、前述したような従来の照明器具においては、放熱フィンの放熱面積を確保するためには、放熱フィンが高くなるため、取付部における埋込高さが高くなるという問題があった。
【０００６】
本発明は、従来の問題を解決するためになされたもので、取付部における埋込高さが低くても取付可能であり、かつ、放熱性を確保できる照明器具を提供することを目的とする。
【課題を解決するための手段】
【０００７】
本発明の照明器具は、光源であるＬＥＤユニットと、前記ＬＥＤユニットを収容し取付孔に取り付けられる灯具と、前記灯具に一体的に設けられ前記ＬＥＤユニットが発する熱を放熱する放熱部と、前記灯具を前記取付孔に取り付ける灯具取付部と、を有し、前記放熱部を前記取付孔の径方向に当該径よりも長く形成したものである。
【０００８】
また、本発明の照明器具では、前記灯具取付部は、天井に設けられた前記取付孔に前記灯具を取り付けるものであり、前記灯具を前記灯具取付部に連結する灯具連結部を有するものである。
【０００９】
さらに、本発明の照明器具では、前記灯具取付部は、天井から吊り下げられた吊下部材に設けられた前記取付孔に前記灯具を取り付けるものである。
【発明の効果】
【００１０】
本発明は、放熱フィンの取付孔の径方向長さを、取付孔の径よりも長くしたので、放熱フィンの放熱面積を確保しながら、放熱フィンの高さを低くできる。これにより、取付孔における埋込高さが低くても取付可能であり、かつ、放熱性を確保できるという効果を有する照明器具を提供できる。
【図面の簡単な説明】
【００１１】
【図１】本発明に係る第１実施形態の照明器具の全体斜視図
【図２】灯具と枠体との取付部を示す分解斜視図
【図３】（Ａ）〜（Ｄ）は、第１実施形態の照明器具の取付作業の前半を示す工程図
【図４】（Ａ）〜（Ｃ）は、第１実施形態の照明器具の取付作業の後半を示す工程図
【図５】本発明に係る第２実施形態の照明器具の全体斜視図
【図６】（Ａ）〜（Ｃ）は、第２実施形態の照明器具の取付作業の前半を示す工程図
【図７】（Ａ）〜（Ｃ）は、第２実施形態の照明器具の取付作業の後半を示す工程図
【図８】（Ａ）は照明器具の変形例を放熱フィンの長手方向に沿って切断した断面図であり、（Ｂ）は放熱フィンの短辺方向に沿って切断した断面図
【図９】従来の照明器具の断面図
【発明を実施するための形態】
【００１２】
（第１実施形態）
以下、本発明に係る第１実施形態の照明器具について、図面を用いて説明する。
図１および図２に示すように、本発明に係る第１実施形態の照明器具１０は、被取付部である天井１１に形成された取付孔１２（図３（Ａ）参照）に埋設して下方を照明するダウンライトとすることができる。
照明器具１０は、光源であるＬＥＤユニット２１（図３（Ｄ）参照）を収容して所定方向へ照明光を照射する灯具２０を有する。
【００１３】
灯具２０は、円柱形状の灯具取付部である枠体２３の天板２３１に、取付ねじ２６で取り付けられる。すなわち、枠体２３の天板２３１には、灯具２０を枠体２３に連結する灯具連結部である取付ねじ孔２７が設けられている。取付ねじ孔２７は、取付ねじ２６の頭部２６１が挿通可能な大径部２７１と、この大径部２７１に連続して、取付ねじ２６の軸部２６２のみが創通可能な幅狭な係止部２７２を有する。
従って、取付ねじ２６の頭部２６１を取付ねじ孔２７の大径部２７１から挿入し（図２中、矢印Ａ参照）、その後、枠体２３を回転（図２中、矢印Ｂ参照）させて軸部２６２を係止部２７２に移動させることにより、枠体２３を灯具２０に係止できる。その後、取付ねじ２６を締め付ける。
【００１４】
図１に示すように、枠体２３の下端（図１において下端）には、鍔部材２４が取り付けられ、枠体２３の側面には複数個（ここでは、例えば３個設けられているが図１においては２個のみ図示する。）の取付ばね２５が放射状に外側へ張り出して設けられている。
従って、枠体２３は、天井１１の下面に鍔部材２４を当接させ、取付ばね２５が天井１１の上面（天井裏）を下方へ押圧することにより、鍔部材２４と取付ばね２５とで天井１１を挟んで取り付けられる。
【００１５】
灯具２０には、ＬＥＤユニット２１を点灯させる電力を供給する電源部３０が、電線３１で接続されており、天井裏１１１（図３（Ｄ）参照）に、灯具２０とは別々に取り付けられる。
電源部３０は、矩形箱形の筐体３２を有し、例えば長手方向両端に天井１１に載置あるいは固定するための取付部３３を有する。また、天井裏１１１に配線されている商用電源の電源線（図示省略）に接続するための接続端子台３４を有しており、電源線の先端を差し込みことにより電気的に接続されるようになっている。
【００１６】
灯具２０の上側には、ＬＥＤユニット２１が発する熱を放熱する複数枚の薄板状の放熱フィン２２が一体的に設けられている。放熱フィン２２は、取付孔１２の径方向に径Ｄ（図３（Ａ）参照）よりも長く（図１中、長さＬ参照）形成されており、厚さＴは薄く形成されている。放熱フィン２２は、全体として十分な放熱性能を有する。
【００１７】
次に、照明器具１０を天井１１の取付孔１２に取り付ける作業について説明する。
図３（Ａ）に示すように、灯具２０を斜めにして、放熱フィン２２の短辺側端面２２１から天井１１の取付孔１２に挿入する（矢印Ａ参照）。
次いで、図３（Ｂ）に示すように、灯具２０および放熱フィン２２の全体が取付孔１２から天井裏１１１に挿入されたら、放熱フィン２２を天井１１に対して水平にする（矢印Ｂ参照）。
そして、図３（Ｃ）に示すように、放熱フィン２２を天井１１に対して水平にした状態で、灯具２０を取付孔１２に挿入する（矢印Ｃ参照）。
このとき、放熱フィン２２の長さＬが取付孔１２の径Ｄよりも大きいので、図３（Ｄ）に示すように、放熱フィン２２が取付孔１２を跨いで引っ掛かり、灯具２０は、仮係止される。
【００１８】
次に、図４（Ａ）に示すように、灯具２０の下側に枠体２３を取り付ける。図２において説明したように、灯具２０の取付ねじ２６を少し緩めて頭部２６１を突出させ、枠体２３の天板２３１に設けられている取付ねじ孔２７の大径部２７１から挿入し、枠体２３を回転して固定する（図４（Ｂ）参照）。
最後に、図４（Ｃ）に示すように、枠体２３に取り付けられている取付ばね２５を中央側に折りたたみ、取付孔１２から天井裏１１１に挿入して手を離すことにより、照明器具１０を取付孔１２に取り付ける。
【００１９】
以上、説明した本発明に係る第１実施形態の照明器具１０によれば、枠体２３により取付孔１２に取り付けられる灯具２０では、収容しているＬＥＤユニット２１が発した熱は、灯具２０に一体的に設けられた放熱フィン２２により放熱される。
このとき、放熱フィン２２の取付孔１２の径方向長さＬを、取付孔１２の径Ｄよりも長くしたので、放熱フィン２２の放熱面積を確保しながら、放熱フィン２２の高さＴを低くできる。これにより、取付孔１２における埋込高さが低くても取付可能であり、かつ、放熱性を確保できる。
また、放熱フィン２２の取付孔１２の径方向長さＬが取付孔１２の径Ｄよりも長いので、放熱フィン２２を取付孔１２に引っ掛けることにより、仮止めできる。これにより、取付作業性が向上する。
【００２０】
また、灯具２０には取付ねじ２６および取付ねじ孔２７を介して枠体２３が連結されており、灯具２０は、枠体２３により、天井１１に設けられた取付孔１２に取り付けられる。
【００２１】
（第２実施形態）
次に、本発明に係る第２実施形態の照明器具について説明する。
なお、前述した第１実施形態に係る照明器具１０と共通する部位には同じ符号を付して、重複する説明を省略することとする。
【００２２】
図５に示すように、第２実施形態の照明器具１０Ｂは、天井から吊り下げられる吊下部材４０を有する。
図５および図６（Ａ）に示すように、吊下部材４０は、天井１１から吊り下げられる軸部４１を有し、軸部４１の下端に全体コ字形状の支持部材４２を有する。支持部材４２には、灯具２０を取り付けるために全体Ｌ字形状のブラケット４２１が設けられており、ブラケット４２１には、図２において前述したような取付ねじ孔２７（図６（Ａ）参照）が設けられている。
また、支持部材４２の下端部には、リング状の鍔部材４３が取り付けられており、鍔部材４３の内側には取付孔４４を有する。ここで、取付孔４４の径はＤである。
【００２３】
図５に示すように、灯具２０に一体的に設けられている放熱フィン２２の下面には、図２において前述したような取付ねじ２６が設けられている。
従って、灯具２０は、放熱フィン２２の取付ねじ２６を、吊下部材４０の支持部材４２の取付ねじ孔２７の大径部２７１に挿入し、灯具２０を回転して係止部２７２で取付ねじ２６を締め付けて固定される。
また、灯具２０は、灯具取付部である反射板４５を介して、支持部材４２の取付孔４４に取り付けられる。
なお、図示はしないが、灯具２０には、電源部が電気的に接続されている。
【００２４】
次に、照明器具１０Ｂを天井１１から吊り下げられている吊下部材４０の取付孔４４に取り付ける作業について説明する。
図６（Ａ）に示すように、吊下部材４０の支持部材４２は、軸部４１を介して吊り下げられている。支持部材４２の下端部には、鍔部材４３が取り付けられており、鍔部材４３の内側に取付孔４４を有する。
【００２５】
まず、図６（Ｂ）に示すように、灯具２０を斜めにして、放熱フィン２２の短辺側端面２２１から鍔部材４３の取付孔４４に挿入する（矢印Ａ参照）。このとき、放熱フィン２２の長さＬが取付孔１２の径Ｄよりも大きいので、放熱フィン２２が取付孔１２を跨いで引っ掛かり、灯具２０は仮係止される（矢印Ｂ参照）。
次いで、図６（Ｃ）に示すように、放熱フィン２２をブラケット４２１の上に載せて、放熱フィン２２を水平にする。
【００２６】
次に、図７（Ａ）に示すように、放熱フィン２２の取付ねじ２６を支持部材４２のブラケット４２１に設けられているねじ孔２７に挿嵌して、灯具２０を回転する。その後、取付ねじ２６を締め付けて、灯具２０を吊下部材４０に固定する。
次いで、図７（Ｂ）に示すように、反射板４５を、取付孔４４の下方から挿入し、図７（Ｃ）に示すように、反射板４５を灯具２０の下部に取り付ける。
【００２７】
以上、説明した本発明に係る第２実施形態の照明器具１０Ｂによれば、灯具２０を、反射板４５を介して、天井１１から吊り下げられた吊下部材４０の取付孔４４に取り付けることができる。
【００２８】
なお、本発明の照明器具は、前述した各実施形態に限定されるものでなく、適宜な変形，改良等が可能である。
例えば、前述した各実施形態においては、天井１１に取り付ける場合と吊下部材４０に取り付ける場合とを別個に説明したが、図８（Ａ）および図８（Ｂ）に示すような照明器具１０Ｃにも適用可能である。すなわち、天井裏１１１に吊下部材４０を吊り下げて、吊下部材４０に灯具２０を取り付けることにより、照明器具１０Ｃを天井１１の取付孔１２に取り付けることもできる。
この場合に、支持部材４２の形状を図８（Ａ）に示すように、片持ち構造とすることにより、放熱フィン２２が、長手方向（図８（Ａ）参照）のみならず、幅方向（図８（Ｂ）参照）にも取付孔４４よりも大きくすることができる。
【符号の説明】
【００２９】
１０、１０Ｂ、１０Ｃ  照明器具
１１  天井
１２、４４  取付孔
２０  灯具
２１  ＬＥＤユニット
２２  放熱フィン（放熱部）
２３  枠体（灯具取付部）
２７  取付ねじ孔（灯具連結部）
４０  吊下部材
４５  反射板（灯具取付部）
【図１】
2013045708.tif 000003
【図２】
2013045708.tif 000004
【図３】
2013045708.tif 000005
【図４】
2013045708.tif 000006
【図５】
2013045708.tif 000007
【図６】
2013045708.tif 000008
【図７】
2013045708.tif 000009
【図８】
2013045708.tif 000010
【図９】
2013045708.tif 000011